(57)【要約】【課題】フルレートキャリッジとハーフレートキャリッジを別々のベルト４４，４５で駆動するフラットベッドスキャナタイプの画像読取装置において、両ベルト４４，４５のテンションを容易に均衡させることが可能な構成を提供する。【解決手段】第１ベルト４４が巻回される第１従動プーリ１と、第２ベルト４５が巻回される第２従動プーリ２とを、それぞれ回転自在に支持する取付板３を備える。また、前記取付板３を付勢する引張バネ５と、取付板３が取り付けられる支持板１２と、を備える。第１従動プーリ１及び第２従動プーリ２は、その軸心の位置を互いに異ならせて取付板３に支持される。取付板３は前記支持板１２に対する取付角度を変更可能に構成されている。【選択図】図２
2008129525.tif 000002
【特許請求の範囲】
【請求項１】
フルレートキャリッジと、
このフルレートキャリッジに取り付けられる第１ベルトと、
この第１ベルトが巻回される第１プーリと、
ハーフレートキャリッジと、
このハーフレートキャリッジに取り付けられる第２ベルトと、
この第２ベルトが巻回される第２プーリと、
前記第１プーリ及び前記第２プーリを回転自在に支持する取付体と、
この取付体を付勢する付勢バネと、
前記取付体が取り付けられる支持体と、
を備え、
前記第１プーリ及び前記第２プーリは、その軸心の位置を互いに異ならせて前記取付体に支持され、
前記取付体は前記支持体に対する取付角度を変更可能に構成されていることを特徴とする画像読取装置。
【請求項２】
請求項１に記載の画像読取装置であって、
前記付勢バネが前記取付体に付勢力を作用させる位置は、前記第１プーリの軸心及び前記第２プーリの軸心からほぼ等距離にあることを特徴とする画像読取装置。
【請求項３】
請求項１又は２に記載の画像読取装置であって、
前記付勢バネが前記取付体に付勢力を作用させる位置は、前記第１プーリの軸心と前記第２プーリの軸心とを結んだ直線を２等分する位置であることを特徴とする画像読取装置。
【請求項４】
請求項１から３までの何れか一項に記載の画像読取装置であって、
前記取付体は固定ネジによって前記支持体に固定されており、
前記取付体又は前記支持体には、前記固定ネジの軸部を挿通させる挿通孔が形成され、この挿通孔には遊びが形成されていることを特徴とする画像読取装置。
【請求項５】
請求項１から４までの何れか一項に記載の画像読取装置であって、
前記取付体はプレート状に構成されており、この取付体の厚み方向一側に前記第１プーリが配置され、他側に前記第２プーリが配置されることを特徴とする画像読取装置。
【請求項６】
請求項１から５までの何れか一項に記載の画像読取装置としてのファクシミリ装置。
【発明の詳細な説明】
【技術分野】
【０００１】
本発明は、読取光学系の反射ミラー等を備えるフルレートキャリッジ及びハーフレートキャリッジをベルト駆動するタイプの画像読取装置及びファクシミリ装置の構成に関する。
【背景技術】
【０００２】
特許文献１は、読取原稿に光を照射する光源及び原稿からの反射光を導く反射ミラーをフルレートキャリッジに備え、また、前記フルレートキャリッジの反射ミラーで反射された光を更に反射させる反射ミラーをハーフレートキャリッジに備え、両キャリッジをベルト駆動機構で駆動するように構成した画像読取装置を開示する。特許文献１の構成においては、フルレートキャリッジ及びハーフレートキャリッジはそれぞれ個別のベルトに取り付けられ、２つのベルトが巻回される駆動プーリを駆動することで、フルレートキャリッジとハーフレートキャリッジを速度比２：１で同時に駆動できるように構成されている。
【０００３】
そして、特許文献１は、前記２つのベルトが巻回される従動プーリを１つの支持ブラケットで軸支し、この支持ブラケットをスライド自在に構成するとともに、当該支持ブラケットを駆動プーリから離れる方向にコイルスプリングで付勢する構成としている。これにより、フルレートキャリッジ用のベルトとハーフレートキャリッジ用のベルトのテンションを保持し、ベルトの弛みを防止できるように構成されている。
【特許文献１】特開２００５−１７３０９６号公報
【発明の開示】
【発明が解決しようとする課題】
【０００４】
しかし、フルレートキャリッジ用のベルトとハーフレートキャリッジ用のベルトは、その寸法や経時変化による伸び等に個体差がある。従って、特許文献１の構成では両ベルトのテンションを均衡させることが難しかった。言い換えれば特許文献１の構成は、一方のベルトにテンションが集中して加わり、他方のベルトはテンション不足になる場合が多く、２つのキャリッジの安定駆動という観点から改善の余地が残されていた。
【課題を解決するための手段及び効果】
【０００５】
本発明の解決しようとする課題は以上の如くであり、次にこの課題を解決するための手段とその効果を説明する。
【０００６】
本発明の観点によれば、以下の構成の画像読取装置が提供される。即ち、フルレートキャリッジと、このフルレートキャリッジに取り付けられる第１ベルトと、この第１ベルトが巻回される第１プーリと、ハーフレートキャリッジと、このハーフレートキャリッジに取り付けられる第２ベルトと、この第２ベルトが巻回される第２プーリと、前記第１プーリ及び前記第２プーリを回転自在に支持する取付体と、この取付体を付勢する付勢バネと、前記取付体が取り付けられる支持体と、を備える。前記第１プーリ及び前記第２プーリは、その軸心の位置を互いに異ならせて前記取付体に支持される。前記取付体は前記支持体に対する取付角度を変更可能に構成されている。
【０００７】
この構成により、２本のベルトのテンションに不均衡が生じた場合でも、取付体に付勢バネの付勢力が作用することで、２本のベルトのテンション不均衡を是正する方向に取付体の角度を適切に変更することができる。この結果、２本のベルトに均等にテンションが掛かった状態を簡単に実現できるので、テンション調整作業が極めて容易になる。また、２つのプーリをそれぞれ個別に付勢する場合に比較して、構成をコンパクト化でき、製造コストを低減できる。
【０００８】
前記の画像読取装置においては、前記付勢バネが前記取付体に付勢力を作用させる位置は、前記第１プーリの軸心及び前記第２プーリの軸心からほぼ等距離にあることが好ましい。
【０００９】
この構成により、付勢バネの付勢力を第１プーリ及び第２プーリに均等に分配することができる。従って、両方のベルトにテンションが均等に加わるように、取付体の角度を適切に調整することができる。
【００１０】
前記の画像読取装置においては、前記付勢バネが前記取付体に付勢力を作用させる位置は、前記第１プーリの軸心と前記第２プーリの軸心とを結んだ直線を２等分する位置であることが好ましい。
【００１１】
この構成により、前記付勢バネの付勢力を、２本のベルトのテンション不均衡の是正（取付体の角度の変更）のために効率よく使用することができる。従って、２本のベルトのテンションを確実にバランスさせることができるとともに、付勢バネをコンパクト化できる。
【００１２】
前記の画像読取装置においては、以下のように構成することが好ましい。即ち、前記取付体は固定ネジによって前記支持体に固定されている。前記取付体又は前記支持体には、前記固定ネジの軸部を挿通させる挿通孔が形成され、この挿通孔には遊びが形成されている。
【００１３】
この構成により、固定ネジを緩めれば、挿通孔の遊びの分だけ取付板が自由に平行移動及び回動し、均衡した大きさのテンションを２本のベルトに付与することができる。また、そのテンションが均衡した状態で固定ネジを締め付けることで、２本のベルトに何れも弛みがない良好な状態を安定して持続させることができる。
【００１４】
前記の画像読取装置においては、前記取付体はプレート状に構成されており、この取付体の厚み方向一側に前記第１プーリが配置され、他側に前記第２プーリが配置されることが好ましい。
【００１５】
この構成により、２つのプーリの間にプレート状の取付体が配置される形となるので、コンパクトなレイアウトを実現できるとともに、２本のベルトのテンションをバランスよく支持でき、両ベルトの均衡かつ安定したテンションを長時間持続させることができる。
【００１６】
また、本発明の他の観点によれば、前記の画像読取装置としてのファクシミリ装置が提供される。
【発明を実施するための最良の形態】
【００１７】
次に、発明の実施の形態を説明する。図１は本発明の一実施形態に係るコピーファクシミリ複合機の画像読取部分の構成を示した正面断面図である。図２はスキャナユニットのベルト駆動機構における従動プーリ付近の構成を示す断面斜視図である。
【００１８】
図１に示すように、画像読取装置及びファクシミリ装置としてのコピーファクシミリ複合機１０１は、読取原稿を載置するプラテンガラス１０２が配設された原稿台１０３と、この読取原稿を前記プラテンガラス上に押圧した状態で保持するための原稿台カバー１０４と、原稿の読取開始等を指示するための図略の操作パネルと、を備えている。
【００１９】
前記原稿台１０３の下方には装置本体部１０５が配置されており、この装置本体部は、記録媒体としての用紙に画像を記録する図略の画像記録部や、通信回線を介して画像データを伝送するための図略の送受信部等を内蔵している。
【００２０】
前記原稿台カバー１０４には、オートドキュメントフィーダ（自動原稿送り装置）１０７が配設されている。このオートドキュメントフィーダ１０７は、原稿台カバー１０４の上部に設けられた原稿トレイ（原稿供給部）１１１と、この原稿トレイの下方に設けられた排紙トレイ（原稿排出部）１１２と、を備える。
【００２１】
図１に示すように、前記原稿台カバー１０４の内部には、原稿トレイ１１１と排紙トレイ１１２とを繋ぐ湾曲状の原稿搬送経路１１３が構成されている。この原稿搬送経路１１３には、原稿トレイ１１１上の読取原稿を繰り込むためのピックアップローラ５１と、読取原稿を１枚ずつ分離するための分離ローラ５２及び分離パッド５３と、読取原稿の斜行を補正するためのレジストローラ５４と、読取原稿を２つの原稿読取位置Ｐ１，Ｐ２に向けて搬送するための搬送ローラ５５，５６，５７と、読取後の原稿を排紙トレイ１１２へ排出するための排紙ローラ５８と、が備えられている。
【００２２】
上記の構成で、原稿トレイ１１１に重ねてセットされた読取原稿は、１枚ずつ分離されて湾曲状の前記原稿搬送経路１１３に沿って搬送され、原稿読取位置Ｐ１，Ｐ２を通過した後、排紙トレイ１１２へ排出される。最初の原稿読取位置Ｐ１では読取原稿の表の面が後述のスキャナユニット２１によって読み取られ、次の原稿読取位置Ｐ２では裏の面が密着型イメージセンサ５９によって読み取られる。
【００２３】
図１に示すように、前記原稿台１０３の内部にはスキャナユニット（原稿読取部）２１が備えられる。このスキャナユニット２１は、前記原稿読取位置Ｐ１に対して光を照射する光源２２と、読取原稿からの反射光を反射させる反射ミラー２３，２４，２５と、反射光を収束させる集光レンズ２６と、この収束光を電気信号に変換して出力する電荷結合素子（ＣＣＤ）２７と、を備えている。以上の構成のうち、光源２２及び反射ミラー２３，２４，２５は、後述のベルト駆動機構によって、前記プラテンガラス１０２に平行な方向に所定の範囲内で移動させることができる。
【００２４】
この構成で、前記原稿読取位置Ｐ１に対応する位置に前記光源２２等を予め移動させた状態で、オートドキュメントフィーダ１０７を駆動する。すると、原稿搬送経路１１３を搬送される読取原稿は原稿読取位置Ｐ１において走査され、この読取原稿からの反射光はＣＣＤ２７へ導かれて結像する。この結果、ＣＣＤ２７は読取内容に応じた電気信号を出力することができる。また、フラットベッドスキャナとして使用する場合は、光源２２をプラテンガラス１０２に沿って一定の速度で移動させながら、当該プラテンガラス１０２上に載置された読取原稿を走査し、その反射光は上記と同様にＣＣＤ２７へ導かれて結像する。
【００２５】
そして、ＣＣＤ２７から得られた信号（及び、オートドキュメントフィーダ１０７使用時において前記密着型イメージセンサ５９から得られた信号）は、適宜の変換処理後に前記画像記録部に送られて印刷されたり、前記送受信部によって他のファクシミリ装置へ通信回線を介して送信されたりする。
【００２６】
次に、前述の読取光学系の移動のための構成を説明する。前記原稿台１０３の内部には、フルレートキャリッジ４１及びハーフレートキャリッジ４２が備えられている。これらキャリッジ４１，４２は、図示しないスライド機構を介して、前記プラテンガラス１０２と平行な方向にそれぞれ移動自在に設けられている。フルレートキャリッジ４１には前記光源２２及び反射ミラー２３が配置され、ハーフレートキャリッジ４２には反射ミラー２４，２５が配置される。
【００２７】
また、前記原稿台１０３の内部の一端には、前記キャリッジ４１，４２を駆動するための駆動プーリ４３が備えられる。この駆動プーリ４３は大径部と小径部とを有する２段プーリに構成されており、その大径部にはフルレートキャリッジ４１を駆動するための第１ベルト４４が巻回され、小径部にはハーフレートキャリッジ４２を駆動するための第２ベルト４５が巻回される。これらのベルト４４，４５はタイミングベルトとして構成されている。
【００２８】
原稿台１０３の内部において前記駆動プーリ４３と反対側の端部には、第１従動プーリ（第１プーリ）１及び第２従動プーリ（第２プーリ）２が備えられる。
【００２９】
具体的には、図１及び図２に示すように、原稿台１０３の内部空間に支持台１１が設置され、この支持台１１の上面に支持板１２が立設される。また、この支持板１２の上端近傍の位置に、取付板（取付体）３が設けられている。この取付板３には、縦に若干細長い形状の挿通孔８が貫通状に設けられている。この挿通孔８に固定ネジ４の軸部が挿通されて支持板１２のネジ孔にネジ止めされることで、取付板３が支持板１２に固定される。
【００３０】
そして、この取付板３の厚み方向一側に前記第１従動プーリ１が軸支され、厚み方向他側に第２従動プーリ２が軸支される。２つの従動プーリ１，２は、その軸心を上下に異ならせるとともに、その軸心方向に見たときに互いにオーバーラップするように配置されている。
【００３１】
更に、原稿台１０３の側壁と取付板３との間には引張バネ（付勢バネ）５が備えられて、この引張バネ５は、前記取付板３を駆動プーリ４３から離れる方向へ付勢する。具体的には図２に示すように、両従動プーリ１，２の軸心Ｃ1，Ｃ2の間の位置において、取付板３には貫通孔６が形成されて、この貫通孔６に前記引張バネ５の一端が係止される。この貫通孔６は、従動プーリ１，２の軸心Ｃ1，Ｃ2同士を結ぶ仮想直線を考えた場合に、その直線を２等分する位置に配置されている。配置引張バネ５の他端は、原稿台１０３の側壁に形成された係止部９に係止される。
【００３２】
なお、本実施形態において図１及び図２に図示されるベルト４４，４５、駆動プーリ４３及び従動プーリ１，２は、原稿台１０３の内部において、図面の紙面手前側と奥側の両方に備えられている。従って、支持板１２、取付板３、引張バネ５等によるテンション調整のための構成も、上記に対応して、図面の紙面手前側と奥側に１つずつ、計２つ設けられている。
【００３３】
次に、テンション調整作業について説明する。即ち、上記の構成のコピーファクシミリ複合機１０１において、フラットベッドスキャナで原稿の読取を繰り返すにつれて、２本のベルト４４，４５のうち例えば第１ベルト４４だけが伸びを生じ、若干弛んできたとする。
【００３４】
この場合のテンション調整作業としては、前記取付板３を固定していた前記固定ネジ４を回転させて緩めれば良い。すると、引張バネ５の付勢力により、取付板３は第２従動プーリ２の軸心まわりに図２の矢印Ａのように若干回動し、第１従動プーリ１が駆動プーリ４３から離れる方向に移動する。なお、前記挿通孔８は前記固定ネジ４の軸部よりも大きく形成されているので、その遊びの分だけ取付板３は位置を移動したり、姿勢（角度）を変更したりすることができる。
【００３５】
以上により、第２ベルト４５のテンションを維持しつつ、第１ベルト４４の弛みを除去してテンションを回復させることができる。なお、逆に第２ベルト４５側が弛んでいた場合は、取付板３は矢印Ｂのように回動して、同様にテンションを回復することができる。こうして２本のベルト４４，４５に適宜のテンションが付与された状態で、前記の固定ネジ４を再び締め付け、取付板３を支持板１２に固定する。これ以降は、両ベルト４４，４５の適正なテンションが実現され、フルレートキャリッジ４１及びハーフレートキャリッジ４２を安定して駆動することができる。
【００３６】
以上に示すように、本実施形態のコピーファクシミリ複合機１０１は、フルレートキャリッジ４１と、このフルレートキャリッジ４１に取り付けられる第１ベルト４４と、この第１ベルト４４が巻回される第１従動プーリ１と、ハーフレートキャリッジ４２と、このハーフレートキャリッジ４２に取り付けられる第２ベルト４５と、この第２ベルト４５が巻回される第２従動プーリ２と、前記第１従動プーリ１及び前記第２従動プーリ２を回転自在に支持する取付板３と、この取付板３を付勢する引張バネ５と、前記取付板３が取り付けられる支持板１２と、を備える。そして、２つの従動プーリ１，２はその軸心同士が異なるように前記取付板３に支持されるとともに、この取付板３は前記支持板１２に対する取付角度を変更可能に構成されている。
【００３７】
これにより、２本のベルト４４，４５のテンションに不均衡が生じた場合でも、取付板３に引張バネ５の付勢力が作用することで、ベルト４４，４５のテンション不均衡を是正する方向に取付板３の角度を変更することができる。この結果、両ベルト４４，４５に均等にテンションが掛かった状態を簡単に実現することができるので、テンション調整作業が極めて容易になる。また、２つの従動プーリ１，２をそれぞれ引張バネで個別に付勢する場合に比較して、構成をコンパクト化でき、製造コストを低減できる。
【００３８】
また、本実施形態において引張バネ５が取付板３に付勢力を作用させる位置（即ち、引張バネ５が係止される貫通孔６）は、従動プーリ１，２の軸心と平行な方向で見たときに、２つの従動プーリ１，２の軸心からほぼ等距離の位置となっている。
【００３９】
これにより、引張バネ５の引張力が２つの従動プーリ１，２に均等に分配されるので、両方のベルト４４，４５にテンションが均等に加わるように、取付板３の角度を適切に調整することができる。
【００４０】
また、前記貫通孔６は、従動プーリ１，２の軸心と平行な方向で見たときに、２つの従動プーリ１，２の軸心Ｃ1，Ｃ2を結ぶ直線を２等分する位置に配置されている。
【００４１】
これにより、引張バネ５の引張力を、取付板３を回転させる力（即ち、テンションの不均衡を是正する力）として有効利用することができる。従って、２本のベルト４４，４５のテンションを確実にバランスさせることができるとともに、引張バネ５をコンパクト化できる。
【００４２】
また、本実施形態では、取付板３は固定ネジ４によって支持板１２に固定されるとともに、取付板３には固定ネジ４の軸部を挿通させる挿通孔８が形成され、この挿通孔８には遊びが形成されている。
【００４３】
これにより、固定ネジ４を緩めれば、挿通孔８の遊びの分だけ取付板３が自由に平行移動及び回動し、均衡した大きさのテンションを２本のベルト４４，４５に付与することができる。また、テンションが均衡した状態で固定ネジ４を締め付けることで、２本のベルト４４，４５に弛みがない良好な状態を安定して持続させることができる。
【００４４】
また、本実施形態では、取付板３の厚み方向一側に第１従動プーリ１を配置し、厚み方向他側に第２従動プーリ２を配置している。
【００４５】
これにより、２つの従動プーリ１，２の間に取付板３が配置される形となるので、２本のベルト４４，４５のテンションをバランスよく支持でき、２本のベルト４４，４５の均衡かつ安定したテンションを長時間持続させることができる。
【００４６】
以上に本発明の実施形態を説明したが、以上の構成は例えば以下のように変更することができる。
【００４７】
取付板３の形状や挿通孔８の形状は図面で示した形状に限定されず、適宜の形状に変更することができる。また、板状の取付体（取付板３）とすることに代えて、例えばブロック状に構成することができる。また、支持体の形状も限定されず、例えば板状の支持体（支持板１２）とすることに代えてブロック状に構成することができる。
【００４８】
取付板３に挿通孔８を形成することに代えて、支持板１２に挿通孔を形成し、固定ネジの軸部を挿通孔に挿通して取付板３にネジ止めする構成に変更することができる。
【００４９】
引張バネ５を係止する貫通孔６の位置は、両従動プーリ１，２の軸心Ｃ1，Ｃ2を結ぶ仮想直線の中点の位置とすることに代えて、例えば当該直線の垂直二等分線上の任意の位置に変更することができる。
【００５０】
上記の実施形態の構成は、コピーファクシミリ複合機１０１に限らず、例えばコピー機、イメージスキャナ等に適用することができる。
【図面の簡単な説明】
【００５１】
【図１】本発明の一実施形態に係るコピーファクシミリ複合機の画像読取部分の構成を示した正面断面図。
【図２】スキャナユニットのベルト駆動機構における従動プーリ付近の構成を示す断面斜視図。
【符号の説明】
【００５２】
１  第１従動プーリ（第１プーリ）
２  第２従動プーリ（第２プーリ）
３  取付板
４  固定ネジ
５  引張バネ（付勢バネ）
６  貫通孔（付勢バネの付勢力の作用する位置）
８  挿通孔
４１  フルレートキャリッジ
４２  ハーフレートキャリッジ
４４  第１ベルト
４５  第２ベルト
１０１  コピーファクシミリ複合機（画像読取装置）
【図１】
2008129525.tif 000003
【図２】
2008129525.tif 000004